(57)【要約】      （修正有）【課題】簡素な構造で複数のタンクを固定することにより部品コストや組立てコストを低減することができる薬剤散布車のタンク固定構造を提供する。【解決手段】タンク固定構造Ｘは、薬液タンク２１、手洗い水タンク２２、および洗浄水タンク２３の下方に配置されて薬液タンク２１を支持するメインフレーム３と、手洗い水タンク２２および洗浄水タンク２３を上から押さえると共に下端がメインフレーム３に結合された第１の押さえフレーム５２および第２の押さえフレーム５３と、を備える。メインフレーム３に載置された薬液タンク２１に手洗い水タンク２２および洗浄水タンク２３が上方から嵌まり込んでおり、手洗い水タンク２２および洗浄水タンク２３が第１の押さえフレーム５２および第２の押さえフレーム５３によって上から押さえられることにより、薬液タンク２１、手洗い水タンク２２、および洗浄水タンク２３がメインフレーム３上に固定される。【選択図】図２
2019041676.tif 000002
【特許請求の範囲】
【請求項１】
薬剤を貯留するための第１のタンク（２１）と、前記第１のタンク（２１）とは別体とされた１つ又は複数の第２のタンク（２２，２３）とを備える薬剤散布車（１）のタンク固定構造（Ｘ）であって、
前記第１のタンク（２１）および前記第２のタンク（２２，２３）の下方に配置されて前記第１のタンク（２１）を支持するメインフレーム（３）と、
前記第２のタンク（２２，２３）を上から押さえると共に下端が前記メインフレーム（３）に結合された押さえフレーム（５２，５３）と、を備え、
前記メインフレーム（３）に載置された前記第１のタンク（２１）に前記第２のタンク（２２，２３）が上方から嵌まり込んでおり、前記第２のタンク（２２，２３）が前記押さえフレーム（５２，５３）によって上から押さえられることにより、前記第１のタンク（２１）および前記第２のタンク（２２，２３）が前記メインフレーム（３）上に固定されることを特徴とする薬剤散布車（１）のタンク固定構造（Ｘ）。
【請求項２】
前記第１のタンク（２１）の下部（２１Ｌ）は、前記メインフレーム（３）に嵌まり込んでおり、
前記メインフレーム（３）は、前記第１のタンク（２１）の下部（２１Ｌ）に対し、前後方向、左右方向、および下方向への移動を規制することを特徴とする請求項１に記載の薬剤散布車（１）のタンク固定構造（Ｘ）。
【請求項３】
前記第２のタンク（２２，２３）は前記第１のタンク（２１）の上部（２１ＵＦ，２１ＵＲ）に嵌まり込んでおり、
前記第２のタンク（２２，２３）は、前記第１のタンク（２１）の上部（２１ＵＦ，２１ＵＲ）に対し、前後方向、左右方向、および上方向への移動を規制することを特徴とする請求項１または２に記載の薬剤散布車（１）のタンク固定構造（Ｘ）。
【請求項４】
前記第２のタンク（２２，２３）は、前記第１のタンク（２１）の前部（２１ＵＦ）に嵌まり込む第１のサブタンク（２２）と、前記第１のタンク（２１）の後部（２１ＵＲ）に嵌まり込む第２のサブタンク（２３）とを有し、
前記第１のサブタンク（２２）は、前記第１のタンク（２１）の前部（２１ＵＦ）に対し、前方向、左右方向、および上方向への移動を規制し、
前記第２のサブタンク（２３）は、前記第１のタンク（２１）の後部（２１ＵＲ）に対し、後方向、左右方向、および上方向への移動を規制することを特徴とする請求項３に記載の薬剤散布車（１）のタンク固定構造（Ｘ）。
【発明の詳細な説明】
【技術分野】
【０００１】
本発明は、薬剤散布車のタンク固定構造に関する。
【背景技術】
【０００２】
特許文献１に記載されるように、防除作業を行う作業車であって、薬液を貯留する主タンクと、主タンクよりも容量の小さい薬液補充用の補助タンクとを備えた作業車が知られている。補助タンクは、主タンクの後方に設置されている。主タンクは、主タンクベースフレーム上に設置されており、補助タンクは、補助タンクベースフレーム上に固定された置き台の上に設置されている。主タンクと補助タンクとの間には、これらの接触や干渉を防止するために緩衝材が設けられている。主タンクの後部に設けられた突出部が補助タンクの突出部に当たるようになっており、これによって補助タンクの浮き上がりが防止されている。
【先行技術文献】
【特許文献】
【０００３】
【特許文献１】特開２０１０−２００６５２号公報
【発明の概要】
【発明が解決しようとする課題】
【０００４】
ところで従来、防除機（薬剤散布車）に搭載されるメインタンクは、フレーム等の構造部材の上に載せられて、ボルトを用いて固定されることが多かった。サブタンクが設けられる場合には、サブタンクは、メインタンクとは別に構造部材に固定されるか、若しくは、メインタンクにボルトを用いて結合されていた。
【０００５】
タンクをボルトで固定するためには、タンクに穴を設けたり、インサートナットを埋め込んだり、若しくはアンカーボルトを埋め込んだりする必要があり、タンクの固定構造が複雑になる。複雑なタンク固定構造は、コスト増加の原因となる。タンクに穴を設けると、水漏れも恐れもあり、水漏れ対策を施す必要もある。このため、結合部にパッキン等を入れる必要があり、また組立作業も慎重に行う必要がある。また、タンクをボルトで固定すると、薬液をタンクに入れてタンクが膨らんだ際や、走行中および作業中にタンクが揺れた際に、ボルトの周辺に過大な応力が生じ得る。この応力によるタンクの破損を防ぐためには、タンクの厚みを増したり、固定ボルトの本数を増やしたりする対策が必要であった。これは、余計な重量増加やコスト増加の原因となる。さらには、各タンクが独立して設置される場合、各タンクは別々に固定されることになるため、固定部材が各タンクに必要となる。これは、部品コストの増加のみならず、組立て作業の手間の増加にもつながる。
【０００６】
本発明は、簡素な構造で複数のタンクを固定することにより部品コストや組立てコストを低減することができる薬剤散布車のタンク固定構造を提供することを目的とする。
【課題を解決するための手段】
【０００７】
本発明は、薬剤を貯留するための第１のタンク（２１）と、第１のタンク（２１）とは別体とされた１つ又は複数の第２のタンク（２２，２３）とを備える薬剤散布車（１）のタンク固定構造（Ｘ）であって、第１のタンク（２１）および第２のタンク（２２，２３）の下方に配置されて第１のタンク（２１）を支持するメインフレーム（３）と、第２のタンク（２２，２３）を上から押さえると共に下端がメインフレーム（３）に結合された押さえフレーム（５２，５３）と、を備え、メインフレーム（３）に載置された第１のタンク（２１）に第２のタンク（２２，２３）が上方から嵌まり込んでおり、第２のタンク（２２，２３）が押さえフレーム（５２，５３）によって上から押さえられることにより、第１のタンク（２１）および第２のタンク（２２，２３）がメインフレーム（３）上に固定されることを特徴とする。
【０００８】
この薬剤散布車（１）は、複数のタンクを備える。このタンク固定構造（Ｘ）によれば、第２のタンク（２２，２３）は、第１のタンク（２１）に対して上方から嵌まり込んでいる。さらにこの第２のタンク（２２，２３）が、押さえフレーム（５２，５３）によって上から押さえられることにより、第１のタンク（２１）および第２のタンク（２２，２３）がメインフレーム（３）上に固定されている。このタンク固定構造（Ｘ）では、第１のタンク（２１）にも第２のタンク（２２，２３）にも、ボルト等の固定具を用いる必要がない。また、第２のタンク（２２，２３）を押さえフレーム（５２，５３）によって上から押さえることにより、第１のタンク（２１）をも押さえることができ、第１のタンク（２１）を固定するためだけの固定部材は不要である。よって、構造が簡素になっており、部品の点数も少なく、組立て作業も容易である。したがって、簡素な構造で複数のタンクを固定することにより、部品コストや組立てコストを低減することができる。
【０００９】
第１のタンク（２１）の下部（２１Ｌ）は、メインフレーム（３）に嵌まり込んでおり、メインフレーム（３）は、第１のタンク（２１）の下部（２１Ｌ）に対し、前後方向、左右方向、および下方向への移動を規制する。この場合、第１のタンク（２１）の下部（２１Ｌ）はメインフレーム（３）によって各方向への移動を規制されるので、第１のタンク（２１）の下部（２１Ｌ）を安定して支持・固定することができる。
【００１０】
第２のタンク（２２，２３）は第１のタンク（２１）の上部（２１ＵＦ，２１ＵＲ）に嵌まり込んでおり、第２のタンク（２２，２３）は、第１のタンク（２１）の上部（２１ＵＦ，２１ＵＲ）に対し、前後方向、左右方向、および上方向への移動を規制する。この場合、第１のタンク（２１）の上部（２１ＵＦ，２１ＵＲ）は第２のタンク（２２，２３）によって各方向への移動を規制されるので、第１のタンク（２１）の上部（２１ＵＦ，２１ＵＲ）を安定して保持・固定することができる。
【００１１】
第２のタンク（２２，２３）は、第１のタンク（２１）の前部（２１ＵＦ）に嵌まり込む第１のサブタンク（２２）と、第１のタンク（２１）の後部（２１ＵＲ）に嵌まり込む第２のサブタンク（２３）とを有し、第１のサブタンク（２２）は、第１のタンク（２１）の前部（２１ＵＦ）に対し、前方向、左右方向、および上方向への移動を規制し、第２のサブタンク（２３）は、第１のタンク（２１）の後部（２１ＵＲ）に対し、後方向、左右方向、および上方向への移動を規制する。この場合、前側の第１のサブタンク（２２）と後ろ側の第２のサブタンク（２３）とによって、第１のタンク（２１）は全方向への移動を規制される。２つのサブタンク（２２，２３）によって第１のタンク（２１）を前後から挟み込むようにして固定することで、第１のタンク（２１）を安定して保持・固定することができる。
【発明の効果】
【００１２】
本発明によれば、簡素な構造で複数のタンクを固定することにより、部品コストや組立てコストを低減することができる。
【図面の簡単な説明】
【００１３】
【図１】本発明の一実施形態に係る薬剤散布車を示す斜視図である。
【図２】図１の薬剤散布車を示す斜視図である。
【図３】第１のタンクおよび第１のタンクに嵌め込まれる２つのサブタンクを前方から見て示す分解斜視図である。
【図４】第１のタンクおよび第１のタンクに嵌め込まれる２つのサブタンクを後方から見て示す分解斜視図である。
【図５】タンクを取り除きメインフレームを露出させた状態を示す斜視図である。
【図６】タンクを取り除きメインフレームを露出させた状態を示す斜視図である。
【図７】タンクを取り除いた状態を示す底面図である。
【図８】（ａ）および（ｂ）は、それぞれ、第１のタンクを上方から見て示す斜視図である。
【図９】（ａ）および（ｂ）は、それぞれ、第１のタンクを下方から見て示す斜視図である。
【図１０】（ａ）および（ｂ）は、それぞれ、第１のサブタンクを上方および下方から見て示す斜視図である。
【図１１】（ａ）および（ｂ）は、それぞれ、第２のサブタンクを上方および下方から見て示す斜視図である。
【図１２】第１のタンクの下部の係止状態を示す断面図である。
【発明を実施するための形態】
【００１４】
以下、本発明の実施形態について、図面を参照しながら説明する。本実施形態の薬剤散布車は、スピードスプレーヤとも呼ばれ、例えば果樹園等の圃場に薬液を散布する際に用いられるものである。なお、以下の説明において、「前」、「後」、「左」、「右」は、薬剤散布車を基準とした方向とする。
【００１５】
図１および図２に示されるように、薬剤散布車１は、メインフレーム３に取り付けられた左右の車輪５を備えており、接続部７を介してトラクタ等の牽引車両に接続され、牽引・走行可能な車両である。メインフレーム３の前端には、前方に延びる接続用フレーム３３が固定されており、その先端に接続部７が取り付けられている。薬剤散布車１は、トラクタのＰＴＯ（Ｐｏｗｅｒ  Ｔａｋｅ  Ｏｆｆ）から動力を受ける入力軸６を前部に備えており、入力軸６および伝達軸６ａ（図６参照）を介して、ポンプ４（図５参照）および送風機部１０の送風ファン１１へ動力を伝達するように構成されている。
【００１６】
薬剤散布車１は、ポンプ４の駆動により薬液タンク２１から薬液を圧送し、薬剤散布車１の後部に設けられた送風機部１０の複数の噴霧ノズル８から薬液を噴霧する。図５および図６に示されるように、メインフレーム３の前部には、ポンプ４と、ベルト（図示せず）により入力軸６に連結されてポンプ４を駆動させるポンプ駆動軸４３と、ベルトを覆うベルトカバー４４とが組み付けられている。
【００１７】
入力軸６および伝達軸６ａには、左右方向の中心線に沿って前後方向に延びるユニバーサルシャフト４１が連結されており、ユニバーサルシャフト４１の後端には、送風機部１０を駆動するためのミッション４２が組み込まれている。
【００１８】
送風機部１０は、送風ファン１１と、送風ファン１１を収容するファンケース１２と、ファンケース１２の後方に配置された噴頭板１６と、ファンケース１２と噴頭板１６との間の空間を包囲するように配列された複数の噴霧ノズル８とを有する。噴霧ノズル８は、たとえば左側および右側において、それぞれ半円弧状に配列されている。
【００１９】
図２に示されるように、ファンケース１２の前端には吸込口１３が形成されており、ファンケース１２の後端には吐出口１４が形成されている。送風機部１０は、送風ファン１１の回転によって吸込口１３から空気を吸い込み、吐出口１４から空気を吐出する。噴霧ノズル８から噴霧された薬液は、吐出口１４から吐出され噴頭板１６によって上方および左右の側方に向けられた空気の流れによって、放射状に拡散させられる。薬剤散布車１は、トラクタによって牽引されながら走行し、圃場に向けて放射状に薬液を散布する。ファンケース１２の側方には、ストレーナ１８が設けられる。
【００２０】
送風機部１０のファンケース１２や噴霧ノズル８等の主要機器は、メインフレーム３に後部に固定された送風機支持フレーム１７上に固定されている。送風機支持フレーム１７の後端には、噴頭板１６が取り付けられた環状の噴頭板支持フレーム１９が固定される。
【００２１】
一方、図７に示されるように、メインフレーム３の前端には、上方に延びると共に前方に突出する操作部支持フレーム４５が固定されており、この操作部支持フレーム４５の先端には、左ノズル群開閉コック４６と右ノズル群開閉コック４７と調圧ハンドル４８とが固定されている。
【００２２】
続いて、薬剤散布車１のタンク２およびタンク２のタンク固定構造Ｘについて説明する。図１および図２に示されるように、薬剤散布車１は、メインフレーム３上に固定されたタンク２を備える。タンク２は、薬液を貯留するための薬液タンク（第１のタンク）２１と、手洗い用の清水を貯留する手洗い水タンク（第１のサブタンク）２２と、薬液タンク２１を洗浄するための清水を貯留する洗浄水タンク（第２のサブタンク）２３とを有する。薬液タンク２１、手洗い水タンク２２、および洗浄水タンク２３は、いずれもポリエチレン等の樹脂製である。手洗い水タンク２２および洗浄水タンク２３は、薬液タンク２１とは別体とされており、薬液タンク２１とは別の貯留空間を形成する。手洗い水タンク２２および洗浄水タンク２３の用途は上記に限られず、手洗い水タンク２２および洗浄水タンク２３は、薬液タンク２１よりも小さい容量を有し、何らかの補助的な用途に用いられてもよい。
【００２３】
薬液タンク２１、手洗い水タンク２２、および洗浄水タンク２３は、それぞれ別体とされているが、対応する形状を有することにより、互いに嵌め合わされて一体化され、しかも簡素な構造とされた本実施形態のタンク固定構造Ｘによって、メインフレーム３に固定されている。タンク固定構造Ｘでは、ボルト等の固定具は不要とされている。なお、細部において、ボルト等による固定が行われてもよい。
【００２４】
薬液タンク２１は、略矩形のメインフレーム３（図５および図７参照）に載置されている。メインフレーム３は、薬液タンク２１の下方に配置されて、薬液タンク２１を支持する。薬液タンク２１は、平面視すなわち上方から見た場合に、メインフレーム３の略全面に重なるように配置されている。言い換えれば、薬液タンク２１の底面は、メインフレーム３に対応する形状・構造を有している。薬液タンク２１の頂部には、第１の蓋２５ａおよび第２の蓋２５ｂが設けられている。
【００２５】
図１〜図４に示されるように、手洗い水タンク２２は、薬液タンク２１の前部かつ上部である上前部２１ＵＦに嵌まり込んでいる。上前部２１ＵＦには、手洗い水タンク２２の外形に対応する第１の収容凹部２１ｂが形成されており、この第１の収容凹部２１ｂに、手洗い水タンク２２が上方から嵌まり込んでいる。手洗い水タンク２２の頂部には、蓋２７が設けられている。
【００２６】
洗浄水タンク２３は、薬液タンク２１の後部かつ上部である上後部２１ＵＲに嵌まり込んでいる。上後部２１ＵＲには、洗浄水タンク２３の外形に対応する第２の収容凹部２１ａが形成されており、この第２の収容凹部２１ａに、洗浄水タンク２３が上方から嵌まり込んでいる。洗浄水タンク２３の頂部には、蓋２６が設けられている。
【００２７】
薬液タンク２１、手洗い水タンク２２、および洗浄水タンク２３は、互いに嵌まり合っており、それらの境界線のみが外観に現れている。薬液タンク２１に合わさる手洗い水タンク２２や洗浄水タンク２３の側面は露出しておらず、したがって、各タンクの境界面は外観に現れていない。上記した蓋２７、第１の蓋２５ａ、第２の蓋２５ｂ、および蓋２６は、前後方向に並ぶように配列されている。薬液タンク２１、手洗い水タンク２２、および洗浄水タンク２３は、一体感をもったデザインで組み立てられており、メインの薬液タンク２１に対して、手洗い水タンク２２および洗浄水タンク２３はデザイン上のポイントとなっている。
【００２８】
以下、各タンクの構成と嵌合構造、およびタンク固定構造Ｘについて詳細に説明する。図７に示されるように、メインフレーム３は、左右一対の縦フレーム３１と、縦フレーム３１に結合された複数の横フレーム３２とを備える。水平面に沿って延びる縦フレーム３１および横フレーム３２によって矩形の骨格が形成されており、その前端に、門型フレーム３４が設けられ、その後端に、起立フレーム３６が設けられている。メインフレーム３の後部であって左右の側方には、一対の側方支持フレーム３７が設けられている。これらはたとえば、鋼製のアングル材、チャンネル材、およびパイプ材等から構成される。
【００２９】
縦フレーム３１、横フレーム３２、門型フレーム３４、起立フレーム３６、および側方支持フレーム３７によって、薬液タンク２１の下部を受け入れる枠体であるメインフレーム３が構成されている。薬液タンク２１の下部２１Ｌ（図９（ａ）および（ｂ）参照）は、メインフレーム３に嵌まり込んでいる。下部２１Ｌは、ユニバーサルシャフト４１との干渉を避けるようにして、薬液タンク２１の中央よりも左側で、下方に突出している。
【００３０】
図９（ａ）および（ｂ）に示されるように、薬液タンク２１の下部２１Ｌには、下方に突出すると共に配管類が接続された下端部２１Ｌａが形成されている。下部２１Ｌの前部には、左右方向にわたって前方凹部２１ｍが形成されており、前方凹部２１ｍの上方に連通して更に深くえぐられた前方中央凹部２１ｎが形成されている。前方中央凹部２１ｎには、上記したポンプ４等が収容されてもよい。下部２１Ｌの後部には、左右一対の側方凹部２１ｋが形成されている。図１２に示されるように、下端部２１Ｌａの前面２１Ｌｂには、横フレーム３２が当接している。横フレーム３２は、薬液タンク２１の下部２１Ｌの前方向への移動を規制する。側方凹部２１ｋには側方支持フレーム３７が嵌まっており、側方支持フレーム３７によって、薬液タンク２１の後部が支持されている。側方支持フレーム３７は、薬液タンク２１の後部の左右方向および後方向への移動を規制する。
【００３１】
また図８（ａ）に示されるように、薬液タンク２１の前端には、左右一対の突出部２１ｇが設けられており、突出部２１ｇの上面には、左右方向に延びると共に上方に開放されたフレーム係合凹部２１ｈが形成されている。図１および図６に示されるように、このフレーム係合凹部２１ｈに、左右方向に延びる門型フレーム３４の押さえステー３４ｂが嵌まり込んでおり、丸棒からなる押さえステー３４ｂによって、薬液タンク２１が上方から押さえられ保持されている。門型フレーム３４の押さえステー３４ｂは、薬液タンク２１の下部２１Ｌの上方向への移動を規制する。門型フレーム３４の一対の起立フレーム３４ａは、前方凹部２１ｍ内で上下方向に延びており、突出部２１ｇの間に配置される。
【００３２】
上記の構成を有することにより、メインフレーム３は、薬液タンク２１の下部２１Ｌに対し、前後方向、左右方向、および上下方向への移動を規制している。
【００３３】
続いて、図３、図４、および図８（ａ）および（ｂ）を参照して、薬液タンク２１の上部の構成およびその固定構造について説明する。薬液タンク２１は、上前部２１ＵＦにおいて、第１の蓋２５ａの前側に形成された第１の収容凹部２１ｂを有する。薬液タンク２１は、上後部２１ＵＲにおいて、第２の蓋２５ｂの後ろ側に形成された第２の収容凹部２１ａを有する。
【００３４】
薬液タンク２１の上前部２１ＵＦには、第１の収容凹部２１ｂの後部に相当する位置に円筒部２１ｆが形成され、円筒部２１ｆの下端から前方に延びる段状面２１ＵＦ３が形成されている。段状面２１ＵＦ３の左右の側方には、段状面２１ＵＦ３と薬液タンク２１の上面とを接続する左内側面２１ＵＦ１および右内側面２１ＵＦ２が形成されている。段状面２１ＵＦ３の前方には、後述する手洗い水タンク２２の下部２２ｂと、上述した押さえステー３４ｂとが配置される。
【００３５】
図１０（ａ）および（ｂ）に示されるように、手洗い水タンク２２は、上部２２ａと下部２２ｂとを有する。上部２２ａは、後方に開放された凹部２２ｃと、凹部２２ｃの前側に設けられた蓋２７と、上部左側面２２ａ１および上部右側面２２ａ２とを有する。上部２２ａの前部に下部２２ｂが接続され、下部２２ｂが上部２２ａから下方に垂下することで、手洗い水タンク２２は全体としてＬ字状の形状を有する。
【００３６】
下部２２ｂの前部には矩形の前方突出部２２ｄが形成されており、前方突出部２２ｄと上部２２ａとの間には、左右方向に延びると共に上方に向けて開放されたフレーム係合溝２２ｅが形成されている。前方突出部２２ｄの左右の側方には、上下方向に延びると共に前方に開放された一対のフレーム収容凹部２２ｆが形成されている。
【００３７】
図３および図４に示されるように、手洗い水タンク２２は、薬液タンク２１の上前部２１ＵＦに上方から嵌まり込む。手洗い水タンク２２が嵌まり込んだ状態で、円筒部２１ｆに凹部２２ｃが嵌まり、上部２２ａの底面２２ａ３が段状面２１ＵＦ３に載置される。上部２２ａの上部左側面２２ａ１および上部右側面２２ａ２は、左内側面２１ＵＦ１および右内側面２１ＵＦ２にそれぞれ対面し、当接する。
【００３８】
図１、図５、および図６に示されるように、メインフレーム３の門型フレーム３４には、門型の第１の押さえフレーム５２および三角形状の前方制止フレーム５４が固定されている。第１の押さえフレーム５２は、手洗い水タンク２２のフレーム係合溝２２ｅおよびフレーム収容凹部２２ｆに収容される。Ｃ字のフック状に形成された第１の押さえフレーム５２は、薬液タンク２１の上前部２１ＵＦに嵌まり込んだ手洗い水タンク２２を上から押さえる。前方制止フレーム５４は、薬液タンク２１の上前部２１ＵＦに嵌まり込んだ手洗い水タンク２２の前方突出部２２ｄの前方に配置され、前方突出部２２ｄを前方から保持する。
【００３９】
第１の押さえフレーム５２の下端は、門型フレーム３４に結合されている。第１の押さえフレーム５２は、たとえば薬液タンク２１に対して手洗い水タンク２２が組み付けられた後に、門型フレーム３４に取り付けられる。
【００４０】
上記の構成により、手洗い水タンク２２は、第１の押さえフレーム５２および前方制止フレーム５４によって保持されると共に、薬液タンク２１の上前部２１ＵＦに対し、前方向、左右方向、および上方向への移動を規制する。
【００４１】
図３、図４、および図８（ａ）および（ｂ）に示されるように、薬液タンク２１の上後部２１ＵＲには、第２の収容凹部２１ａの前部に相当する位置に円筒部２１ｃが形成され、円筒部２１ｃの下端から後方に延びる段状面２１ＵＲ３が形成されている。段状面２１ＵＲ３の左右の側方には、段状面２１ＵＲ３と薬液タンク２１の上面とを接続する左内側面２１ＵＲ１および右内側面２１ＵＲ２が形成されている。円筒部２１ｃの左右の側方には一対の凹部２１ｄが形成されており、凹部２１ｄの間に第２の蓋２５ｂが配置される。段状面２１ＵＲ３の後方には、薬液タンク２１の後部を上下方向に貫通する円筒状の上下貫通凹部２１ｅが形成されている。
【００４２】
図１１（ａ）および（ｂ）に示されるように、洗浄水タンク２３は、上部２３ａと下部２３ｂとを有する。上部２３ａは、前方に開放された凹部２３ｃと、凹部２３ｃの後ろ側に設けられた蓋２６と、上部左側面２３ａ１および上部右側面２３ａ２とを有する。上部２３ａの後部に柱状の下部２３ｂが接続され、下部２３ｂが上部２３ａから下方に垂下している。
【００４３】
下部２３ｂの後部には矩形の後方突出部２３ｄが形成されており、後方突出部２３ｄと上部２３ａとの間には、左右方向に延びると共に上方に向けて開放されたフレーム係合溝２３ｅが形成されている。
【００４４】
図３および図４に示されるように、洗浄水タンク２３は、薬液タンク２１の上後部２１ＵＲに上方から嵌まり込む。洗浄水タンク２３が嵌まり込んだ状態で、円筒部２１ｃに凹部２３ｃが嵌まり、上部２３ａの底面２３ａ３が段状面２１ＵＲ３に載置される。上部２３ａの上部左側面２３ａ１および上部右側面２３ａ２は、左内側面２１ＵＲ１および右内側面２１ＵＲ２にそれぞれ対面し、当接する。薬液タンク２１の上下貫通凹部２１ｅには、下部２３ｂが嵌まり込む。
【００４５】
図１、図５、および図６に示されるように、メインフレーム３の起立フレーム３６には、門型の第２の押さえフレーム５３が固定されている。第２の押さえフレーム５３は、洗浄水タンク２３のフレーム係合溝２３ｅに収容される。Ｃ字のフック状に形成された第２の押さえフレーム５３は、薬液タンク２１の上後部２１ＵＲに嵌まり込んだ洗浄水タンク２３を上から押さえる。
【００４６】
第２の押さえフレーム５３の下端は、起立フレーム３６に結合されている。第２の押さえフレーム５３は、たとえば薬液タンク２１に対して洗浄水タンク２３が組み付けられた後に、起立フレーム３６に取り付けられる。
【００４７】
上記の構成により、洗浄水タンク２３は、第２の押さえフレーム５３によって保持されると共に、薬液タンク２１の上後部２１ＵＲに対し、後方向、左右方向、および上方向への移動を規制する。
【００４８】
そして、タンク固定構造Ｘでは、薬液タンク２１に手洗い水タンク２２および洗浄水タンク２３が上方から嵌まり込んでおり、手洗い水タンク２２および洗浄水タンク２３が、第１の押さえフレーム５２および第２の押さえフレーム５３によってそれぞれ上から押さえられることにより、薬液タンク２１、手洗い水タンク２２、および洗浄水タンク２３がメインフレーム３上に固定されている。薬液タンク２１には、薬液タンク２１を固定することを目的とする押さえフレームは設けられていない。
【００４９】
本実施形態のタンク固定構造Ｘによれば、手洗い水タンク２２および洗浄水タンク２３は、薬液タンク２１に対して上方から嵌まり込んでいる。さらに手洗い水タンク２２および洗浄水タンク２３が、押さえフレーム５２，５３によって上から押さえられることにより、薬液タンク２１および手洗い水タンク２２および洗浄水タンク２３がメインフレーム３上に固定されている。このタンク固定構造Ｘでは、薬液タンク２１にも手洗い水タンク２２および洗浄水タンク２３にも、ボルト等の固定具を用いる必要がない。また、手洗い水タンク２２および洗浄水タンク２３を押さえフレーム５２，５３によって上から押さえることにより、薬液タンク２１をも押さえることができ、薬液タンク２１を固定するためだけの固定部材は不要である。よって、構造が簡素になっており、部品の点数も少なく、組立て作業も容易である。したがって、簡素な構造で複数のタンクを固定することにより、部品コストや組立てコストを低減することができる。
【００５０】
タンク類をボルトで固定しないため、タンクの穴あけ、インサートナット、およびアンカーボルトは不要になっており、それらのコストを低減できる。
【００５１】
手洗い水タンク２２および洗浄水タンク２３は薬液タンク２１に嵌まり込み、広い範囲で荷重を支えるため、応力集中が生じにくい。よって、タンクの厚みを低減することが可能になっている。これにより、タンクのコスト低減および軽量化が可能となっている。
【００５２】
第１の押さえフレーム５２および第２の押さえフレーム５３が手洗い水タンク２２および洗浄水タンク２３を押さえると当時に、手洗い水タンク２２および洗浄水タンク２３が薬液タンク２１の押さえとしても機能する。手洗い水タンク２２および洗浄水タンク２３は薬液タンク２１に深く嵌まり込んでいるため、これらは１つの塊となっている。よって、薬液タンク２１、手洗い水タンク２２、および洗浄水タンク２３がずれることもない。手洗い水タンク２２および洗浄水タンク２３を持ち上げるような力が加わった場合、第１の押さえフレーム５２や第２の押さえフレーム５３を支点に回転するような力が生じ得るが、タンク同士が接触面をもって接触しているため、手洗い水タンク２２および洗浄水タンク２３は回転もせず、持ち上がることもない。
【００５３】
タンクにボルト結合のための穴が設けられないため、水漏れの恐れは大幅に低減されている。
【００５４】
また、タンク２は全体として一体的なデザインとされている。手洗い水タンク２２若しくは洗浄水タンク２３の形状や色によって、これらのタンクをデザイン上のポイントとして活用することもできる。
【００５５】
薬液タンク２１の下部２１Ｌは、メインフレーム３に嵌まり込んでおり、メインフレーム３は、薬液タンク２１の下部２１Ｌに対し、前後方向、左右方向、および下方向への移動を規制する。この場合、薬液タンク２１の下部２１Ｌはメインフレーム３によって各方向への移動を規制されるので、薬液タンク２１の下部２１Ｌを安定して支持・固定することができる。
【００５６】
手洗い水タンク２２および洗浄水タンク２３は薬液タンク２１の上前部２１ＵＦおよび上後部２１ＵＲに嵌まり込んでおり、手洗い水タンク２２および洗浄水タンク２３は、薬液タンク２１の上前部２１ＵＦおよび上後部２１ＵＲに対し、前後方向、左右方向、および上方向への移動を規制する。よって、薬液タンク２１の上前部２１ＵＦおよび上後部２１ＵＲは手洗い水タンク２２および洗浄水タンク２３によって各方向への移動を規制されるので、薬液タンク２１の上前部２１ＵＦおよび上後部２１ＵＲを安定して保持・固定することができる。
【００５７】
手洗い水タンク２２および洗浄水タンク２３は、薬液タンク２１の上前部２１ＵＦに嵌まり込む手洗い水タンク２２と、薬液タンク２１の上後部２１ＵＲに嵌まり込む洗浄水タンク２３とを有し、手洗い水タンク２２は、薬液タンク２１の上前部２１ＵＦに対し、前方向、左右方向、および上方向への移動を規制し、洗浄水タンク２３は、薬液タンク２１の上後部２１ＵＲに対し、後方向、左右方向、および上方向への移動を規制する。この場合、前側の手洗い水タンク２２と後ろ側の洗浄水タンク２３とによって、薬液タンク２１は全方向への移動を規制される。２つのサブタンクによって薬液タンク２１を前後から挟み込むようにして固定することで、薬液タンク２１を安定して保持・固定することができる。
【００５８】
以上、本発明の実施形態について説明したが、本発明は上記実施形態に限られない。たとえば、手洗い水タンク２２および洗浄水タンク２３のいずれか一方が省略されてもよい。サブタンク（第２のタンク）の個数は、１個または２個に限られず、３個以上であってもよい。薬液タンク２１、手洗い水タンク２２、および洗浄水タンク２３の外形の凹凸形状は、適宜に変更可能である。薬液タンク２１に対して手洗い水タンク２２や洗浄水タンク２３が上方から嵌まり込むことのできる形状であれば、これらはどのような形状であってもよい。
【００５９】
薬剤散布車は、上記したようなトラクタ牽引式のスピードスプレーヤ（薬剤散布作業車）に限られず、たとえばトラクタ搭載式のスピードスプレーヤ（薬剤散布作業車）であってもよく、自走式のスピードスプレーヤ（薬剤散布作業車）であってもよい。本発明は、送風機部を備えるあらゆる薬剤散布車（薬剤散布作業車）に適用可能である。
【符号の説明】
【００６０】
１…薬剤散布車、２…タンク、３…メインフレーム、８…噴霧ノズル、１０…送風機部、２１…薬液タンク（第１のタンク）、２２…手洗い水タンク（第１のサブタンク、第２のタンク）、２３…洗浄水タンク（第２のサブタンク、第２のタンク）、５２…第１の押さえフレーム、５３…第２の押さえフレーム、５４…前方制止フレーム、Ｘ…タンク固定構造。
【図１】
2019041676.tif 000003
【図２】
2019041676.tif 000004
【図３】
2019041676.tif 000005
【図４】
2019041676.tif 000006
【図５】
2019041676.tif 000007
【図６】
2019041676.tif 000008
【図７】
2019041676.tif 000009
【図８】
2019041676.tif 000010
【図９】
2019041676.tif 000011
【図１０】
2019041676.tif 000012
【図１１】
2019041676.tif 000013
【図１２】
2019041676.tif 000014